【手続補正書】
【提出日】平成20年3月26日(2008.3.26)
【手続補正１】
【補正対象書類名】特許請求の範囲
【補正対象項目名】全文
【補正方法】変更
【補正の内容】
【特許請求の範囲】
【請求項１】
１ゲームに対して所定数の賭数を設定することによりゲームを開始させることが可能となり、各々が識別可能な複数種類の入賞用識別情報を変動表示させる入賞用可変表示装置に入賞判定用表示結果が導出されることにより１ゲームが終了し、該入賞用可変表示装置の入賞判定用表示結果に応じて所定の入賞が発生可能であるスロットマシンにおいて、
所定の変動開始条件が成立することにより前記入賞用可変表示装置において入賞用識別情報を変動表示させる入賞用変動表示制御手段と、
所定の停止操作手段が操作されたことにより前記入賞用可変表示装置における入賞用識別情報の変動表示を停止させて入賞判定用表示結果を導出させる入賞用変動停止制御手段と、
前記入賞用可変表示装置の変動表示に関わる特別条件が成立したときに、通常遊技状態よりも遊技者にとって有利な特別遊技状態に遊技状態を制御する特別遊技状態制御手段と、
前記入賞用可変表示装置とは別個に該入賞用可変表示装置よりも視認容易に設けられるとともに、各々が識別可能な複数種類の演出用識別情報を含む任意の画像を表示することが可能な演出用画像表示装置と、
前記演出用画像表示装置における画像の表示を制御する画像表示制御手段とを備え、
前記画像表示制御手段は、
前記入賞用識別情報の変動表示に応じて前記演出用画像表示装置において演出用識別情報を変動表示させる演出用変動表示制御手段と、
前記停止操作手段が操作されたことにより前記演出用変動表示制御手段による演出用識別情報の変動表示を停止させて演出用表示結果を導出させる演出用変動停止制御手段と、
前記特別条件が成立したことを条件として、前記演出用表示結果として特別演出表示結果を導出させる特別導出手段と、
前記特別条件が成立するか否かを判定する条件成立判定手段と、
前記停止操作手段の操作に応じて、前記演出用表示結果として特定演出用表示結果を導出させる手段であって、前記条件成立判定手段により前記特別条件が成立することが判定されたときに判定されていないときに比較して高い割合で前記特定演出用表示結果を導出させる特定導出制御手段と、
前記特定導出制御手段により前記演出用画像表示装置において前記特定演出用表示結果が導出された後、前記演出用画像表示装置に表示される画像を前記演出用識別情報の変動表示の画像から、前記演出用識別情報とは異なる特別演出用識別情報の変動表示の画像に切り替える特別切替制御手段と、
前記演出用画像表示装置において前記特別演出用識別情報を変動表示させ、前記特別演出用識別情報の変動表示の表示結果として、前記特別条件が成立するか否かを示す特別報知用表示結果を導出させる特別演出導出手段と、
前記特別演出導出手段により前記演出用画像表示装置において前記特別報知用表示結果が導出された後、前記演出用画像表示装置に表示される画像を前記特別演出演出用識別情報の変動表示の画像から、前記演出用識別情報の変動表示の画像に切り替える演出用変動表示切替制御手段とを備え、
前記特別導出手段は、前記特別条件が成立するときに、前記演出用変動表示切替制御手段により前記演出用識別情報の画像に切り替えられた後に実行される前記演出用識別情報の変動表示において前記特別演出表示結果を導出させる
ことを特徴とするスロットマシン。
【請求項２】
１ゲームに対して所定数の賭数を設定することによりゲームを開始させることが可能となり、各々が識別可能な複数種類の入賞用識別情報を変動表示させる入賞用可変表示装置に入賞判定用表示結果が導出されることにより１ゲームが終了し、該入賞用可変表示装置の入賞判定用表示結果に応じて所定の入賞が発生可能であるスロットマシンにおいて、
所定の変動開始条件が成立することにより前記入賞用可変表示装置において入賞用識別情報を変動表示させる入賞用変動表示制御手段と、
所定の停止操作手段が操作されたことにより前記入賞用可変表示装置における入賞用識別情報の変動表示を停止させて入賞判定用表示結果を導出させる入賞用変動停止制御手段と、
前記入賞用可変表示装置に前記入賞判定用表示結果が導出される前に、該入賞判定用表示結果として通常遊技状態よりも遊技者にとって有利な特別遊技状態への移行を伴う特別表示結果の導出を可能とするか否かを決定する特別決定手段と、
前記特別決定手段の決定に基づいて前記特別表示結果が導出されたときに、前記特別遊技状態に遊技状態を制御する特別遊技状態制御手段と、
前記入賞用可変表示装置とは別個に該入賞用可変表示装置よりも視認容易に設けられるとともに、各々が識別可能な複数種類の演出用識別情報を含む任意の画像を表示することが可能な演出用画像表示装置と、
前記演出用画像表示装置における画像の表示を制御する画像表示制御手段とを備え、
前記画像表示制御手段は、
前記入賞用識別情報の変動表示に応じて前記演出用画像表示装置において演出用識別情報を変動表示させる演出用変動表示制御手段と、
前記停止操作手段が操作されたことにより前記演出用変動表示制御手段による演出用識別情報の変動表示を停止させて演出用表示結果を導出させる演出用変動停止制御手段と、
前記特別表示結果の導出が可能となることが決定されたことを条件として、前記演出用表示結果として特別演出表示結果を導出させる特別導出手段と、
前記特別表示結果の導出が可能となることが決定されたか否かを判定する条件成立判定手段と、
前記停止操作手段の操作に応じて、前記演出用表示結果として特定演出用表示結果を導出させる手段であって、前記条件成立判定手段により前記特別表示結果の導出が可能となることが決定されたことが判定されたときに判定されていないときに比較して高い割合で前記特定演出用表示結果を導出させる特定導出制御手段と、
前記特定導出制御手段により前記演出用画像表示装置において前記特定演出用表示結果が導出された後、前記演出用画像表示装置に表示される画像を前記演出用識別情報の変動表示の画像から、前記演出用識別情報とは異なる特別演出用識別情報の変動表示の画像に切り替える特別切替制御手段と、
前記演出用画像表示装置において前記特別演出用識別情報を変動表示させ、前記特別演出用識別情報の変動表示の表示結果として、前記特別表示結果の導出が可能となることが決定されたか否かを示す特別報知用表示結果を導出させる特別演出導出手段と、
前記特別演出導出手段により前記演出用画像表示装置において前記特別報知用表示結果が導出された後、前記演出用画像表示装置に表示される画像を前記特別演出演出用識別情報の変動表示の画像から、前記演出用識別情報の変動表示の画像に切り替える演出用変動表示切替制御手段とを備え、
前記特別導出手段は、前記特別表示結果の導出が可能となることが決定されたときに、前記演出用変動表示切替制御手段により前記演出用識別情報の画像に切り替えられた後に実行される前記演出用識別情報の変動表示において前記特別演出表示結果を導出させる
ことを特徴とするスロットマシン。
【請求項３】
遊技の進行を制御するとともに、前記入賞用変動表示制御手段、前記入賞用変動停止制御手段、及び前記特別遊技状態制御手段を含み、前記入賞用変動表示制御手段により前記入賞用識別情報の変動表示が開始されたときに送信される変動開始制御情報と前記入賞用変動停止制御手段により前記入賞用識別情報の変動表示が停止されたときに送信される変動停止制御情報とを少なくとも含む遊技の進行状態に応じた制御情報を送信する遊技制御手段と、
前記画像表示制御手段を含むとともに、前記遊技制御手段から送信された制御情報を受信して該受信した制御情報に基づいて前記画像表示制御手段による演出用画像表示装置に表示される画像の制御を含む演出の実行を制御する演出制御手段とを備え、
前記遊技制御手段は、
遊技の進行状態により制御情報を送信すべき事象が発生してから該事象の発生した制御情報を前記演出制御手段に送信するまでの遅延時間として定められた複数種類の遅延時間のうちから短い遅延時間を長い遅延時間よりも高い割合で選択する遅延時間選択手段と、
制御情報を送信すべき事象が発生してから前記遅延時間選択手段が選択した遅延時間を経過したときに、該制御情報を演出制御手段に送信する制御情報送信手段とを備える
ことを特徴とする請求項１または２に記載のスロットマシン。
【請求項４】
前記遅延時間選択手段は、少なくとも前記変動開始制御情報と前記変動停止制御情報を送信すべき事象が発生したときに、前記複数種類の遅延時間のうちから短い遅延時間を長い遅延時間よりも高い割合で選択する
ことを特徴とする請求項３に記載のスロットマシン。
【請求項５】
前記入賞用可変表示装置は、３行の入賞用可変表示部を有し、各可変表示部において３列に前記識別情報を変動表示させるものであり、
前記入賞用変動表示停止手段は、前記複数の入賞用可変表示部のそれぞれから前記３列のうちの第１列と第３列のいずれかを選択して組み合わせることによって設定される複数の有効ライン上のいずれかの有効ライン上に、前記入賞用表示結果を導出させる
ことを特徴とする請求項１乃至４のいずれか１項に記載のスロットマシン。
【請求項６】
前記特別遊技状態に制御されたときに、該特別遊技状態が終了した後に連続して新たな特別遊技状態に制御するか否かを、予め定められた複数種類の決定確率のうちから選択された決定確率に従って決定する特別遊技状態連続決定手段をさらに備え、
前記特別遊技状態制御手段は、さらに前記特別遊技状態連続決定手段により連続して特別遊技状態に制御する旨が決定されたときに該決定に基づいて前記特別遊技状態に遊技状態を制御し、
前記特別遊技状態連続決定手段による決定に基づいて前記特別遊技状態に制御されているときに、該特別遊技状態連続決定手段が次に連続して特別遊技状態に制御する旨を決定する決定確率を、これまで選択されていた決定確率よりも高い決定確率に変更して選択することを抽選により決定する決定確率変更手段とをさらに備える
ことを特徴とする請求項１乃至５のいずれか１項に記載のスロットマシン。
【請求項７】
前記特別遊技状態制御手段は、前記特別遊技状態として第１状態と、該第１状態とは有利度の異なる第２状態とに順次制御し、
前記決定確率変更手段は、前記第１状態に制御されているときに、前記決定確率を変更して選択する
ことを特徴とする請求項６に記載のスロットマシン。
【請求項８】
前記決定確率変更手段は、前記入賞用表示結果として定められた複数種類の入賞表示結果のうちからいずれかの種類の入賞用表示結果を選択する入賞用表示結果選択手段を備え、前記入賞用表示結果選択手段により選択された種類の入賞用表示結果が前記入賞用可変表示装置に導出されたことを条件として、前記決定確率を変更して選択する
ことを特徴とする請求項６または７に記載のスロットマシン。
【手続補正２】
【補正対象書類名】明細書
【補正対象項目名】０００８
【補正方法】変更
【補正の内容】
【０００８】
上記目的を達成するため、本発明の第１の観点にかかるスロットマシンは、
１ゲームに対して所定数の賭数を設定することによりゲームを開始させることが可能となり、各々が識別可能な複数種類の入賞用識別情報を変動表示させる入賞用可変表示装置（可変表示装置２）に入賞判定用表示結果が導出されることにより１ゲームが終了し、該入賞用可変表示装置の入賞判定用表示結果に応じて所定の入賞が発生可能であるスロットマシンにおいて、
所定の変動開始条件が成立することにより前記入賞用可変表示装置において入賞用識別情報を変動表示させる入賞用変動表示制御手段（ステップＳ４）と、
所定の停止操作手段（停止ボタン１２Ｌ、１２Ｃ、１２Ｒ）が操作されたことにより前記入賞用可変表示装置における入賞用識別情報の変動表示を停止させて入賞判定用表示結果を導出させる入賞用変動停止制御手段（ステップＳ２０５、Ｓ２１０、Ｓ２１５）と、
前記入賞用可変表示装置の変動表示に関わる特別条件が成立したときに（ステップＳ４０２（Ｙｅｓ）、またはＳ４０８（Ｙｅｓ））、通常遊技状態よりも遊技者にとって有利な特別遊技状態（ＡＴ（１≦ＲＴ≦１０）＋ボーナス、またはボーナス）に遊技状態を制御する特別遊技状態制御手段（ステップＳ４０３、またはステップＳ４０９）と、
前記入賞用可変表示装置とは別個に該入賞用可変表示装置よりも視認容易に設けられるとともに、各々が識別可能な複数種類の演出用識別情報を含む任意の画像を表示することが可能な演出用画像表示装置（演出用画像表示装置４）と、
前記演出用画像表示装置における画像の表示を制御する画像表示制御手段（演出制御基板１０２のＣＰＵ１２１）とを備え、
前記画像表示制御手段は、
前記入賞用識別情報の変動表示に応じて前記演出用画像表示装置において演出用識別情報を変動表示させる演出用変動表示制御手段（ステップＳ６０８）と、
前記停止操作手段が操作されたことにより前記演出用変動表示制御手段による演出用識別情報の変動表示を停止させて演出用表示結果を導出させる演出用変動停止制御手段（ステップＳ６１５、Ｓ６１９、Ｓ６２４、Ｓ６２７）と、
前記特別条件が成立したことを条件として、前記演出用表示結果として特別演出表示結果（ＢＡＲ−ＢＡＲ−ＢＡＲ、または７−７−７）を導出させる特別導出手段（ステップＳ６１５、Ｓ６１９）と、
前記特別条件が成立するか否かを判定する条件成立判定手段（ステップＳ６２０〜Ｓ６２２）と、
前記停止操作手段の操作に応じて（ステップＳ６３３）、前記演出用表示結果として特定演出用表示結果（チャンス目）を導出させる手段であって、前記条件成立判定手段により前記特別条件が成立することが判定されたときに判定されていないときに比較して高い割合で前記特定演出用表示結果を導出させる特定導出制御手段（ステップＳ６２４、Ｓ６２７）と、
前記特定導出制御手段により前記演出用画像表示装置において前記特定演出用表示結果が導出された後、前記演出用画像表示装置に表示される画像を前記演出用識別情報の変動表示の画像から、前記演出用識別情報とは異なる特別演出用識別情報（ルーレット）の変動表示の画像に切り替える特別切替制御手段（ステップＳ６２５）と、
前記演出用画像表示装置において前記特別演出用識別情報を変動表示させ、前記特別演出用識別情報の変動表示の表示結果として、前記特別条件が成立するか否かを示す特別報知用表示結果（ルーレットの停止位置）を導出させる特別演出導出手段（ステップＳ７０６、Ｓ７０８、Ｓ７１０）と、
前記特別演出導出手段により前記演出用画像表示装置において前記特別報知用表示結果が導出された後、前記演出用画像表示装置に表示される画像を前記特別演出演出用識別情報の変動表示の画像から、前記演出用識別情報の変動表示の画像に切り替える演出用変動表示切替制御手段（ステップＳ７１３）とを備え、
前記特別導出手段は、前記特別条件が成立するときに、前記演出用変動表示切替制御手段により前記演出用識別情報の画像に切り替えられた後に実行される前記演出用識別情報の変動表示において前記特別演出表示結果を導出させる（ステップＳ６１２〜Ｓ６１５、またはステップＳ６１６〜Ｓ６２０）
ことを特徴とする。
【手続補正３】
【補正対象書類名】明細書
【補正対象項目名】０００９
【補正方法】変更
【補正の内容】
【０００９】
上記第１の観点にかかるスロットマシンでは、演出用画像表示装置において入賞用識別情報の変動表示に応じて演出用識別情報が変動表示されるが、特定条件が成立するときには停止操作手段の操作に応じて特定演出用表示結果を導出させることができる。特定演出用表示結果が導出されると、通常の演出用識別情報の変動表示ではなく、特別演出用識別情報の変動表示に画像が切り替えられる。そして、この特別演出用識別情報の変動表示の表示結果として、特別条件が成立する旨が報知されることとなる。
【手続補正４】
【補正対象書類名】明細書
【補正対象項目名】００１３
【補正方法】変更
【補正の内容】
【００１３】
この場合において、前記事前決定手段が前記特別表示結果の導出を許容する旨を決定する確率を前記通常遊技状態よりも高くする確率変動状態に制御する確率変動状態制御手段を備える場合には、前記条件成立判定手段は、前記確率変動状態に制御されているときに前記特別条件が成立するものと判定することができる。なお、前記確率変動状態制御手段は、前記確率変動状態に制御するか否かを決定する確率変動状態制御手段の決定結果に基づいて、該確率変動状態に制御するものとすることができる。
また、前記事前決定手段が前記特別表示結果の導出を許容する旨を決定したときに、解除までのゲーム数の期待値が前記通常遊技状態において前記事前決定手段が前記特別表示結果の導出を許容する旨を決定する確率の逆数よりも小さく且つ該特別表示結果の導出が不可能または困難な不可状態に制御する不可状態制御手段を備える場合には、前記条件成立判定手段は、前記不可状態に制御されているときに前記特別条件が成立するものと判定することができる。
【手続補正５】
【補正対象書類名】明細書
【補正対象項目名】００１４
【補正方法】変更
【補正の内容】
【００１４】
上記目的を達成するため、本発明の第２の観点にかかるスロットマシンは、
１ゲームに対して所定数の賭数を設定することによりゲームを開始させることが可能となり、各々が識別可能な複数種類の入賞用識別情報を変動表示させる入賞用可変表示装置（可変表示装置２）に入賞判定用表示結果が導出されることにより１ゲームが終了し、該入賞用可変表示装置の入賞判定用表示結果に応じて所定の入賞が発生可能であるスロットマシンにおいて、
所定の変動開始条件が成立することにより前記入賞用可変表示装置において入賞用識別情報を変動表示させる入賞用変動表示制御手段（ステップＳ４）と、
所定の停止操作手段（停止ボタン１２Ｌ、１２Ｃ、１２Ｒ）が操作されたことにより前記入賞用可変表示装置における入賞用識別情報の変動表示を停止させて入賞判定用表示結果を導出させる入賞用変動停止制御手段（ステップＳ２０５、Ｓ２１０、Ｓ２１５）と、
前記入賞用可変表示装置に前記入賞判定用表示結果が導出される前に、該入賞判定用表示結果として通常遊技状態よりも遊技者にとって有利な特別遊技状態への移行を伴う特別表示結果の導出を可能とするか否かを決定する特別決定手段と、
前記特別決定手段の決定に基づいて前記特別表示結果が導出されたときに、前記特別遊技状態（ボーナス）に遊技状態を制御する特別遊技状態制御手段（ステップＳ４０９）と、
前記入賞用可変表示装置とは別個に該入賞用可変表示装置よりも視認容易に設けられるとともに、各々が識別可能な複数種類の演出用識別情報を含む任意の画像を表示することが可能な演出用画像表示装置（演出用画像表示装置４）と、
前記演出用画像表示装置における画像の表示を制御する画像表示制御手段（演出制御基板１０２のＣＰＵ１２１）とを備え、
前記画像表示制御手段は、
前記入賞用識別情報の変動表示に応じて前記演出用画像表示装置において演出用識別情報を変動表示させる演出用変動表示制御手段（ステップＳ６０８）と、
前記停止操作手段が操作されたことにより前記演出用変動表示制御手段による演出用識別情報の変動表示を停止させて演出用表示結果を導出させる演出用変動停止制御手段（ステップＳ６１５、Ｓ６１９、Ｓ６２４、Ｓ６２７）と、
前記特別表示結果の導出が可能となることが決定されたことを条件として、前記演出用表示結果として特別演出表示結果（ＢＡＲ−ＢＡＲ−ＢＡＲ、または７−７−７）を導出させる特別導出手段（ステップＳ６１５、Ｓ６１９）と、
前記特別表示結果の導出が可能となることが決定されたか否かを判定する条件成立判定手段（ステップＳ６２０〜Ｓ６２２）と、
前記停止操作手段の操作に応じて（ステップＳ６３３）、前記演出用表示結果として特定演出用表示結果（チャンス目）を導出させる手段であって、前記条件成立判定手段により前記特別表示結果の導出が可能となることが決定されたことが判定されたときに判定されていないときに比較して高い割合で前記特定演出用表示結果を導出させる特定導出制御手段（ステップＳ６２４、Ｓ６２７）と、
前記特定導出制御手段により前記演出用画像表示装置において前記特定演出用表示結果が導出された後、前記演出用画像表示装置に表示される画像を前記演出用識別情報の変動表示の画像から、前記演出用識別情報とは異なる特別演出用識別情報（ルーレット）の変動表示の画像に切り替える特別切替制御手段（ステップＳ６２５）と、
前記演出用画像表示装置において前記特別演出用識別情報を変動表示させ、前記特別演出用識別情報の変動表示の表示結果として、前記特別表示結果の導出が可能となることが決定されたか否かを示す特別報知用表示結果（ルーレットの停止位置）を導出させる特別演出導出手段（ステップＳ７０６、Ｓ７０８、Ｓ７１０）と、
前記特別演出導出手段により前記演出用画像表示装置において前記特別報知用表示結果が導出された後、前記演出用画像表示装置に表示される画像を前記特別演出演出用識別情報の変動表示の画像から、前記演出用識別情報の変動表示の画像に切り替える演出用変動表示切替制御手段（ステップＳ７１３）とを備え、
前記特別導出手段は、前記特別表示結果の導出が可能となることが決定されたときに、前記演出用変動表示切替制御手段により前記演出用識別情報の画像に切り替えられた後に実行される前記演出用識別情報の変動表示において前記特別演出表示結果を導出させる（ステップＳ６１２〜Ｓ６１５、またはステップＳ６１６〜Ｓ６２０）
ことを特徴とする。
【手続補正６】
【補正対象書類名】明細書
【補正対象項目名】００１５
【補正方法】変更
【補正の内容】
【００１５】
上記第１、第２の観点にかかるスロットマシンにおいて、
前記画像表示制御手段は、前記特別演出表示結果を導出させた後に、前記特別遊技状態に制御された旨を示す特別演出用画像を前記演出用画像表示装置に表示させる特別演出用画像表示制御手段をさらに備えるものとすることができる。
【手続補正７】
【補正対象書類名】明細書
【補正対象項目名】００１７
【補正方法】変更
【補正の内容】
【００１７】
上記第１、第２の観点にかかるスロットマシンは、
遊技の進行を制御するとともに、前記入賞用変動表示制御手段、前記入賞用変動停止制御手段、及び前記特別遊技状態制御手段を含み、前記入賞用変動表示制御手段により前記入賞用識別情報の変動表示が開始されたときに送信される変動開始制御情報（当選状況通知コマンド３０１、３０２）と前記入賞用変動停止制御手段により前記入賞用識別情報の変動表示が停止されたときに送信される変動停止制御情報（リール停止コマンド）とを少なくとも含む遊技の進行状態に応じた制御情報（コマンド）を送信する遊技制御手段（遊技制御基板１０１のＣＰＵ１１１）と、
前記画像表示制御手段を含むとともに、前記遊技制御手段から送信された制御情報を受信して該受信した制御情報に基づいて前記画像表示制御手段による演出用画像表示装置に表示される画像の制御を含む演出の実行を制御する演出制御手段（演出制御基板１０２のＣＰＵ１２１）とを備えるものであってもよい。この場合において、
前記遊技制御手段は、
遊技の進行状態により制御情報を送信すべき事象が発生してから該事象の発生した制御情報を前記演出制御手段に送信するまでの遅延時間として定められた複数種類の遅延時間のうちから短い遅延時間を長い遅延時間よりも高い割合で選択する遅延時間選択手段（図６、ステップＳ３０１、Ｓ３０２）と、
制御情報を送信すべき事象が発生してから前記遅延時間選択手段が選択した遅延時間を経過したときに（ステップＳ３０３（Ｙｅｓ））、該制御情報を演出制御手段に送信する制御情報送信手段（ステップＳ３０４）とを備えるものとすることができる。
【手続補正８】
【補正対象書類名】明細書
【補正対象項目名】００２０
【補正方法】変更
【補正の内容】
【００２０】
上記第１、第２の観点にかかるスロットマシンにおいて、
前記入賞用可変表示装置は、３行の入賞用可変表示部を有し、各可変表示部において３列に前記識別情報を変動表示させるものであってもよい。この場合において、
前記入賞用変動表示停止手段は、前記複数の入賞用可変表示部のそれぞれから前記３列のうちの第１列と第３列のいずれかを選択して組み合わせることによって設定される複数の有効ライン上のいずれかの有効ライン上に、前記入賞用表示結果を導出させることができる。
【手続補正９】
【補正対象書類名】明細書
【補正対象項目名】００２２
【補正方法】変更
【補正の内容】
【００２２】
上記第１、第２の観点にかかるスロットマシンは、
前記特別遊技状態に制御されたときに、該特別遊技状態が終了した後に連続して新たな特別遊技状態に制御するか否かを、予め定められた複数種類の決定確率のうちから選択された決定確率（連チャン確率）に従って決定する特別遊技状態連続決定手段（ステップＳ４１２）をさらに備えるものとしてもよい。この場合において、
前記特別遊技状態制御手段は、さらに前記特別遊技状態連続決定手段により連続して特別遊技状態に制御する旨が決定されたときに該決定に基づいて前記特別遊技状態に遊技状態を制御することができる（ステップＳ５０６（Ｙｅｓ）、Ｓ５０９）。
ここで、上記第１、第２の観点にかかるスロットマシンは、
前記特別遊技状態連続決定手段による決定に基づいて前記特別遊技状態に制御されているときに、該特別遊技状態連続決定手段が次に連続して特別遊技状態に制御する旨を決定する決定確率を、これまで選択されていた決定確率よりも高い決定確率に変更して選択することを抽選により決定する決定確率変更手段（ステップＳ４２４）とをさらに備えるものとすることができる。